(57)【要約】【課題】袋体がほぼまたは完全に自転車の重量を受ける必要がなく、袋体に比較的薄い材質を採用することができ、またサポートストラップと袋体の連結箇所が破損しにくく、自転車の重量に耐え得る自転車収納用バッグの提供。【解決手段】自転車収納用バッグであって、被覆体、メインサポートストラップ、第１連結装置、第２連結装置を含み、本考案の特徴は主に、メインサポートストラップ、第１連結装置、第２連結装置が直接または間接的に連結され、第１連結装置と第２連結装置に連結部材を組み合わせて自転車を繋止でき、第１連結装置及び第２連結装置が力（自転車の重量）を受けたとき、メインサポートストラップがこの力に耐えることができる。【選択図】図３
0003163226.tif 000002
【実用新案登録請求の範囲】
【請求項１】
自転車を収納するために用いる自転車収納用バッグであって、前記自転車収納用バッグが、被覆体、メインサポートストラップ、第１連結装置、第２連結装置を含み、
前記被覆体が、薄布、少なくとも１つの開口、収納空間を含み、そのうち前記収納空間が前記自転車を収納でき、
前記メインサポートストラップは第１端と第２端を含み、そのうち前記第１端と前記第２端が前記薄布とそれぞれ連結され、
前記第１連結装置が前記第１端に連結され、
前記第２連結装置が前記第２端に連結され、
前記第１連結装置と前記第２連結装置に前記自転車を繋止でき、前記自転車の重量が前記メインサポートストラップによって支持され、前記メインサポートストラップと前記第１連結装置及び前記第２連結装置がすべて連結されることを特徴とする、自転車収納用バッグ。
【請求項２】
前記少なくとも１つの開口が下開口を含むことを特徴とする、請求項１に記載の自転車収納用バッグ。
【請求項３】
前記被覆体がさらに下連結部材を含み、前記下連結部材が前記薄布上に付着され、且つ前記下開口箇所に位置することを特徴とする、請求項２に記載の自転車収納用バッグ。
【請求項４】
前記少なくとも１つの開口がさらに上開口を含むことを特徴とする、請求項３に記載の自転車収納用バッグ。
【請求項５】
前記被覆体がさらに上連結部材を含み、前記上連結部材が前記薄布に付着され、前記上開口箇所に設置されたことを特徴とする、請求項４に記載の自転車収納用バッグ。
【請求項６】
前記第１連結装置がさらに第１ベルトと２つの第１連結部材を含み、そのうち、前記２つの第１連結部材がそれぞれ前記第１ベルトの両端に連結され、且つ、前記第２連結装置が第２ベルトと２つの第２連結部材を含み、そのうち前記２つの第２連結部材がそれぞれ前記第２ベルトの両端に連結されたことを特徴とする、請求項１に記載の自転車収納用バッグ。
【請求項７】
前記少なくとも１つの開口が下開口を含むことを特徴とする、請求項６に記載の自転車収納用バッグ。
【請求項８】
前記被覆体がさらに下連結部材を含み、前記下連結部材が前記薄布上に付着され、且つ前記下開口箇所に位置することを特徴とする、請求項７に記載の自転車収納用バッグ。
【請求項９】
前記少なくとも１つの開口がさらに上開口を含み、且つ前記被覆体がさらに上連結部材を含み、前記上連結部材が前記薄布に付着され、前記上開口箇所に設置されたことを特徴とする、請求項８に記載の自転車収納用バッグ。
【請求項１０】
前記第１連結装置が第１ベルトと第１連結部材を含み、前記第１連結部材と前記第１ベルトが連結され、
前記第１連結部材を前記自転車の適当な部位に穿通させて前記第２連結装置と連結させ、前記自転車が繋止されることを特徴とする、請求項１に記載の自転車収納用バッグ。
【請求項１１】
前記少なくとも１つの開口が下開口を含むことを特徴とする、請求項１０に記載の自転車収納用バッグ。
【請求項１２】
前記被覆体がさらに下連結部材を含み、前記下連結部材が前記薄布上に付着され、且つ前記下開口箇所に位置することを特徴とする、請求項１１に記載の自転車収納用バッグ。
【請求項１３】
前記自転車収納用バッグがリュックサックであることを特徴とする、請求項１に記載の自転車収納用バッグ。
【請求項１４】
前記自転車収納用バッグが２本のメインサポートストラップ、２つの第１連結装置、２つの第２連結装置を含み、そのうち、各メインサポートストラップにそれぞれ前記第１連結装置の１つ及び前記第２連結装置の１つが連結されたことを特徴とする、請求項１３に記載の自転車収納用バッグ。
【請求項１５】
前記少なくとも１つの開口が下開口を含むことを特徴とする、請求項１４に記載の自転車収納用バッグ。
【請求項１６】
各メインサポートストラップがさらにウエストベルトを含むことを特徴とする、請求項１５に記載の自転車収納用バッグ。
【考案の詳細な説明】
【技術分野】
【０００１】
本考案はリュックサックまたは手提げ袋に関し、特に、自転車の収納に用いる、自転車収納用バッグに関する。
【背景技術】
【０００２】
図１に先行技術による従来の自転車収納用バッグ８０の立体図を示す。図１に示すように、サポートストラップ８２が袋体８１に連結されている。袋体８１は自転車収納用バッグ８０の内容物の総重量に耐え得る必要があるため、袋体８１の構造と布地は十分な厚さと丈夫さが必要である。また、サポートストラップ８２と袋体８１間の連結箇所は自転車収納用バッグ８０内に収納された自転車全部の重量に耐える必要があるため、この連結箇所は自転車収納用バッグ８０の最も破損しやすい場所である。
【０００３】
図２に別の先行技術を示す。サポートストラップ８２ｂが袋体８１ｂを囲むように袋体８１ｂ上に設置されているため、袋体８１ｂは自転車収納用バッグ８０ｂの全部の重量を受けずに済む。しかしながら、袋体８１ｂはやはり自転車の重量のほとんどに耐え得る必要がある。
【０００４】
自転車収納用バッグは自転車の収納に用いられ、特に折り畳み式自転車により必要とされるものであり、折り畳み式自転車は一般に重量が１０キログラム以上であるため、従来の自転車収納用バッグは厚く強靭な袋体が必要であり、このため自転車収納用バッグを片付けるにも大きな体積が必要である。
【０００５】
米国特許第３８８６９８８号の『Ｂｉｃｙｃｌｅ  ｂａｇ』（自転車収納用バッグ）と図１に示す自転車収納用バッグ８０には類似した問題があり、サポートストラップと袋体の連結箇所が非常に容易に破損し、且つ非常に丈夫な袋体を使用する必要がある。
【０００６】
米国特許第６２０２７２２号『Ｗｈｅｅｌｃｈａｉｒ  Ｃａｒｒｉｅｒ』（車椅子用袋）のサポートストラップと袋体の連結方式は米国特許第３８８６９８８号と同じであるため、同様の問題がある。
【０００７】
このため、上述の問題を改善した自転車収納用バッグを提供する必要がある。
【先行技術文献】
【特許文献】
【０００８】
【特許文献１】米国特許第３８８６９８８号の『Ｂｉｃｙｃｌｅ  ｂａｇ』明細書
【特許文献２】米国特許第６２０２７２２号『Ｗｈｅｅｌｃｈａｉｒ  Ｃａｒｒｉｅｒ』明細書
【考案の概要】
【考案が解決しようとする課題】
【０００９】
本考案の目的は、袋体がほぼまたは完全に自転車の重量を受ける必要がなく、袋体に比較的薄い材質を採用することができ、またサポートストラップと袋体の連結箇所が破損しにくく、自転車の重量に耐え得る自転車収納用バッグを提供することにある。
【課題を解決するための手段】
【００１０】
上述の目的を達するため、本考案の自転車収納用バッグは主に被覆体、メインサポートストラップ、第１連結装置、第２連結装置を含む。
【００１１】
本考案の特徴は主にメインサポートストラップ、第１連結装置、第２連結装置が直接または間接的に連結されている点にある。第１連結装置及び第２連結装置は自転車に連結することができ、第１連結装置及び第２連結装置が力（自転車の重量）を受けると、メインサポートストラップがこの力に耐えることができる。
【考案の効果】
【００１２】
したがって、本考案の被覆体は完全にまたはほぼ自転車の重量を受けることがないため、本考案の被覆体の薄布は非常に薄くすることができ、従来の自転車収納用バッグの袋体のように厚くする必要がないため、本考案の自転車収納用バッグの重量を軽減することができる。
【００１３】
また、本考案の被覆体は完全にまたはほぼ自転車の重量を受けないため、メインサポートストラップと被覆体の連結箇所が破損しにくく、本考案の自転車収納用バッグの使用寿命を延長することができる。
【図面の簡単な説明】
【００１４】
【図１】先行技術による従来の自転車収納用バッグの立体図である。
【図２】別の先行技術による従来の自転車収納用バッグの正面図である。
【図３】本考案の実施例１の自転車収納用バッグの立体図である。
【図３Ａ】本考案のメインサポートストラップと第１連結装置の相互連結方法を示す断面図１である。
【図３Ｂ】本考案のメインサポートストラップと第１連結装置の別の相互連結方法を示す断面図２である。
【図３Ｃ】本考案の実施例１に基づき、自転車を自転車収納用バッグに入れる手順を説明する概略図１である。
【図３Ｄ】本考案の実施例１に基づき、自転車を自転車収納用バッグに入れる手順を説明する概略図２である。
【図３Ｅ】本考案の実施例１に基づき、自転車を自転車収納用バッグに入れる手順を説明する概略図３である。
【図３Ｆ】本考案の実施例１に基づき、自転車を自転車収納用バッグに入れる手順を説明する概略図４である。
【図４】本考案の実施例２の自転車収納用バッグの立体図である。
【図４Ａ】本考案の実施例２に基づき、自転車を自転車収納用バッグに入れる手順を説明する概略図１である。
【図４Ｂ】本考案の実施例２に基づき、自転車を自転車収納用バッグに入れる手順を説明する概略図２である。
【図５】本考案の実施例３の自転車収納用バッグの立体図である。
【図５Ａ】本考案の実施例３に基づき、自転車を自転車収納用バッグに入れる手順を示す概略図である。
【図６】本考案の実施例４の自転車収納用バッグの立体図である。
【図７】本考案の実施例５の自転車収納用バッグの立体図である。
【図８】本考案の実施例６の自転車収納用バッグの立体図である。
【図９】本考案の実施例７のリュックサック式の自転車収納用バッグの立体図である。
【図９Ａ】本考案の実施例７の自転車収納用バッグの使用時の状態を示す概略図である。
【考案を実施するための形態】
【００１５】
本考案の上述及びその他の目的、特徴、利点をよりはっきりと示すため、以下、本考案の具体的な実施例を挙げ、図面を組み合わせて詳細に説明する。
【実施例１】
【００１６】
図３と図３Ｃ〜３Ｆの本考案の実施例１を参照する。本考案の自転車収納用バッグ１ａは、被覆体１０、メインサポートストラップ２０、第１連結装置３０、第２連結装置４０を含む。
【００１７】
被覆体１０は主に薄布１８を含む。薄布１８は軟性材質を最良とし、例えばビニル布（ＰＶＣ、ＰＵ、ナイロン布など）、人工皮革等とすることができ、薄布１８の厚さは０．２ｍｍ以下を最良とする。本実施例において、薄布１８は長方形であり、円筒状を成しており、被覆体１０が上開口１１と下開口１２を含み、薄布１８に囲まれた中央箇所に収納空間１３が形成され、自転車９０が収納される（図３参照）。
【００１８】
被覆体１０はさらに、例えば面ファスナー１５ａ（フック（ｈｏｏｋ）とループ（ｌｏｏｐ）の２種類の構造を含む面ファスナー、Ｖｅｌｃｒｏとすることができる）などの上連結部材１５を含む。面ファスナー１５ａは薄布１８上に付着され、且つ上開口１１箇所に設置されるため、面ファスナー１５ａは上開口１１のほとんどまたは全部を閉じ合わせることができる。
【００１９】
下開口１２の箇所において、被覆体１０は下連結部材１６を含み、下連結部材１６も薄布１８上に付着される。下連結部材１６は例えばひも１６ａとすることができるが、これに限定されない。下連結部材１６は下開口１２のほとんどまたは全部を閉じ合わせることができる。
【００２０】
メインサポートストラップ２０は第１端２１と第２端２２を含む。メインサポートストラップ２０の第１端２１に第１連結装置３０が連結され、メインサポートストラップ２０の第２端２２に第２連結装置４０が連結される。本実施例において、メインサポートストラップ２０はショルダーストラップの形式（使用者が肩に掛ける形式）とするが、より短い手提げ形式（使用者が手に提げる形式）としてもよい。
【００２１】
第１連結装置３０は第１ベルト３３と２つの第１連結部材３１、３２（例えばフックとリングなど）を含む。２つの第１連結部材３１、３２は第１ベルト３３の両端にそれぞれ連結される。同様に、第２連結装置４０も第２ベルト４３と２つの第２連結部材４１、４２（例えばフックとリングなど）を含む。２つの第２連結部材４１、４２は第２ベルト４３の両端にそれぞれ連結される。
【００２２】
図３と図３Ａのメインサポートストラップ２０と第１連結装置３０間の連結関係（同じ方式を第２連結装置４０にも用いることができる）を参照する。
【００２３】
第１ベルト３３と薄布１８が連結される。メインサポートストラップ２０の第１端２１がまず小さい輪を形成して第１連結部材３１（例えばリングなど）と連結され、さらに第１ベルト３３と連結される。このため、メインサポートストラップ２０と薄布１８も連結を構成する。本実施例において、上述のメインサポートストラップ２０、第１ベルト３３と薄布１８の連結方式は縫合などとすることができる。
【００２４】
メインサポートストラップ２０、第１ベルト３３、薄布１８の連結方式はその他異なる方式としてもよく、例えば図３Ｂに示す方式とすることができる。図３Ｂに示すように、メインサポートストラップ２０の第１端２１と薄布１８が連結される。第１ベルト３３がまず小さい輪を形成して第１連結部材３１と連結され、第１ベルト３３がさらに第１端２１と連結される。このため第１ベルト３３と薄布１８も連結を構成する。
【００２５】
図３Ｃ、３Ｄ、３Ｅ、３Ｆに本考案の使用状況とその利便性を示す概略図を示す。
【００２６】
使用者はまず上開口１１と下開口１２を開いた状態にして、図３Ｃに示すように、自転車収納用バッグ１ａを自転車９０（例えば折り畳み式自転車）の上に配置する。
【００２７】
図３Ｄに示すように、使用者は下開口１２を自転車９０に向けて、自転車収納用バッグ１ａを下に向かって置き、被覆体１０で自転車９０を被覆する。続いて第１ベルト３３と第２ベルト４３を自転車９０の適切な部位に穿通させ、さらに２つの第１連結部材３１、３２と２つの第２連結部材４１、４２を連結して、自転車９０を繋止する。例えば、自転車９０の適切な部位は折り畳み部位と前輪、後輪部位とすることができる。メインサポートストラップ２０と第１連結装置３０及び第２連結装置４０が連結されているため、自転車９０の重量がメインサポートストラップ２０により支持される。このため、被覆体１０の薄布１８はほとんどまたは完全に自転車９０の重量を受ける必要がなく、本考案の被覆体１０の薄布１８は非常に薄くすることができ、従来の自転車収納用バッグのように厚くする必要がない。
【００２８】
最後に、図３Ｅに示すように、使用者は上開口１１と下開口１２を閉じる。その後使用者は図３Ｆに示すように自転車９０を担ぐことができる。本考案の特徴は、使用者が自転車９０（通常は自転車９０の重量が非常に重い）を自転車収納用バッグ１ａの中に入れるとき、先行技術のように自転車９０を持ち上げる必要がない。また、下開口１２から自転車９０を被覆体１０に入れることはずっと容易である（袋の上方からは自転車を袋の中に入れにくい）。
【実施例２】
【００２９】
図４に本考案の実施例２の自転車収納用バッグ１ｂの立体図を示す。図４と図３の最大の違いは上開口にある。図３の自転車収納用バッグ１ａは上開口１１を含むが、図４の自転車収納用バッグ１ｂは上開口を含まない。自転車収納用バッグ１ａにおいて、上開口１１の利点は、使用者が自転車９０を収納するまたは取り出すとき、上開口１１から自転車９０を容易に繋止したり、自転車９０の繋止を解除したりできることである。実施例２において、使用者は薄布１８を上に引き上げ（または内側を外側に折り返して）、図４Ａに示すように第１及び第２連結装置３０、４０を露出させてから自転車９０を繋止し、続いて使用者は薄布１８を下に引っ張り（または折り返し部分を下方向に展開して）図４Ｂに示すように自転車９０を被覆する。このため、実施例２において使用者は下開口１２から自転車９０を繋止したり繋止を解除したりすることができ、上開口１１を設置する必要はない。
【実施例３】
【００３０】
図５及び図５Ａに本考案の実施例３の自転車収納用バッグ１ｃを示す。第１連結装置３０ｃは第１ベルト３３ｃ、及び第１ベルト３３ｃに連結された第１連結部材３２ｃ（例えばフックなど）を含み、２つの第１連結部材３１、３２を備えている実施例１及び実施例２と異なる。第２連結装置４０ｃは第２連結部材４２ｃ（例えばリングなど）を含む。使用時は、第１連結装置３０ｃを自転車９０の適切な部位に穿通させ、さらに第１連結装置３０ｃと第２連結装置４０ｃを連結して、自転車９０を繋止することができる。
【実施例４】
【００３１】
図６に本考案の実施例４の自転車収納用バッグ１ｄを示す。図６と図５の最大の違いは、実施例４において、第１端２１ｄと第２端２２ｄが非常に接近していることである。
【実施例５】
【００３２】
図７に本考案の実施例５の自転車収納用バッグ１ｅを示す。第１連結装置３０ｅは第１連結部材３２ｅ（例えばフックなど）のみを含む。同様に、第２連結装置４０ｅも第２連結部材４２ｅ（例えばリングなど）のみを含む。自転車９０の適切な位置に２つの連結部材９１ｅ（例えばリングなど）が設置される。このため、第１連結部材３２ｅ及び第２連結部材４２ｅを２つの連結部材９１ｅと連結させて自転車９０を繋止することができる。第１連結部材３２ｅ及び第２連結装置４０ｅは適切な長さの第１ベルト及び第２ベルト（図示しない）を含んでもよいことに注意する。
【実施例６】
【００３３】
図８に本考案の実施例６の自転車収納用バッグ１ｆを示す。図８と図４の最大の違いは、実施例６において、メインサポートストラップ２０ｆは手提げストラップであり、ショルダーストラップではない点である。
【実施例７】
【００３４】
図９と図９Ａに本考案の実施例７の自転車収納用バッグ１ｇを示す。自転車収納用バッグ１ｇは２本のメインサポートストラップ２０ｇ（ショルダーストラップ）及び１本のウエストベルト２０１ｇを備えたリュックサック形式である。実施例１と同様に、各メインサポートストラップ２０ｇの第１端２１ｇ及び第２端２２ｇがそれぞれ第１連結装置３０ｇ及び第２連結装置４０ｇと連結される。各第１連結装置３０ｇ及び第２連結装置４０ｇは自転車９０を繋止することができる。自転車収納用バッグ１ｇの利点は、自転車９０の重量を平均的に両方の肩に分散させられる点である。このほか、自転車収納用バッグ１ｇは上開口１１及び下開口１２を含むことができる。
【００３５】
上述をまとめると、本考案は目的、手段、効果のどれにおいても従来の技術と異なる技術的特徴を備えており、審査官殿にはご明察の上、早期に実用新案登録を認めていただき、社会に恩恵をもたらすことができるように望むものである。上述の多くの実施例は説明のために例を挙げたまでであり、本考案の主張する権利範囲は実用新案登録請求の範囲に準じ、上述の実施例に限定されないことに注意が必要である。
【符号の説明】
【００３６】
１ａ、１ｂ、１ｃ、１ｄ、１ｅ、１ｆ、１ｇ、８０、８０ｂ  自転車収納用バッグ 
８２、８２ｂ  サポートストラップ 
８１、８１ｂ  袋体
１０、１０ｇ  被覆体 
１１    上開口
１２    下開口 
１３    収納空間
１５    上連結部材 
１５ａ  面ファスナー
１６    下連結部材
１６ａ  ひも  
１８    薄布
２０、２０ｆ、２０ｇ  メインサポートストラップ
２０１ｇ  ウエストベルト
２１、２１ｄ、２１ｇ  第１端
２２、２２ｄ、２２ｇ  第２端
３０、３０ｃ、３０ｅ、３０ｇ  第１連結装置
３１、３２、３２ｃ、３２ｅ  第１連結部材 
３３、３３ｃ  第１ベルト
４０、４０ｃ、４０ｅ、４０ｇ  第２連結装置  
４１、４２、４２ｃ、４２ｅ  第２連結部材 
４３    第２ベルト   
９０    自転車 
９１ｅ  連結部材
【図１】
0003163226.tif 000003
【図２】
0003163226.tif 000004
【図３】
0003163226.tif 000005
【図３Ａ】
0003163226.tif 000006
【図３Ｂ】
0003163226.tif 000007
【図３Ｃ】
0003163226.tif 000008
【図３Ｄ】
0003163226.tif 000009
【図３Ｅ】
0003163226.tif 000010
【図３Ｆ】
0003163226.tif 000011
【図４】
0003163226.tif 000012
【図４Ａ】
0003163226.tif 000013
【図４Ｂ】
0003163226.tif 000014
【図５】
0003163226.tif 000015
【図５Ａ】
0003163226.tif 000016
【図６】
0003163226.tif 000017
【図７】
0003163226.tif 000018
【図８】
0003163226.tif 000019
【図９】
0003163226.tif 000020
【図９Ａ】
0003163226.tif 000021